(57)【要約】【課題】従来のコンテンツ配信システムは、著作権侵害や公序良俗違反等の問題のあるコンテンツが検査されずに流通し、その流通が制御できないという問題がある。また、問題のないコンテンツのみを検査して流通させるには、利用者の端末間での自律的なコンテンツ流通を禁じ、少数の装置からコンテンツを配信せざるを得ず、コンテンツ配信システムが可用性に劣るという問題がある。【解決手段】ユーザーからのコンテンツアップロードを集中的に受け付け、コンテンツ流通を制御するための情報管理とコンテンツ流通の制御を行う中枢サーバーを用いる。膨大なコンテンツの検査にはグリッドコンピューティングを用いる。そして、膨大なコンテンツの流通は、検査を受けたコンテンツのみを流通させ、あるいは特定コンテンツの流通を制御可能なＰ２Ｐネットワークを利用する。また、ＤＲＭ技術を利用することで、問題のあるコンテンツの利用者端末での復号を禁止する。【選択図】図１
2008305371.tif 000002
【特許請求の範囲】
【請求項１】
コンテンツのストリーミング配信を再生することは可能であるが、各コンテンツを個別のファイルとして、ユーザーの端末上に保存することを禁止する機能を有するＰ２Ｐネットワークに対応した、配信タグにもとづいてコンテンツにアクセスするためのブラウザへのプラグインあるいは専用ソフトウエアを用いたＰ２Ｐネットワークによるコンテンツ配信システム。
【請求項２】
請求項１に記載されたＰ２Ｐネットワークによるコンテンツ配信システムであって、ＤＲＭにより暗号化されたコンテンツを閲覧するために前記ストリーミング配信の再生前に、前記配信タグをＤＲＭサーバーに問い合わせ、ＤＲＭ認証を行う機能を有するプラグインあるいは専用ソフトウエアを用いたＰ２Ｐネットワークによるコンテンツ配信システム。
【請求項３】
請求項１又は２に記載されたＰ２Ｐネットワークによるコンテンツ配信システムであって、プラグインあるいは専用ソフトウエアが、与えられた配信タグにもとづいてＰ２Ｐネットワークを探索し、当該配信タグに該当するコンテンツのキャッシュを有するピアを発見した場合は、発見されたピアからプラグインあるいは専用ソフトウエアにコンテンツのストリーミング配信を行う機能を有するＰ２Ｐネットワークによるコンテンツ配信システム。
【請求項４】
請求項３に記載されたＰ２Ｐネットワークによるコンテンツ配信システムであって、デジタル透かし、顔認識や音声認識によるパターンマッチング技術を用い、さらに、パターン認識結果の類似性をＡＩ技法によるエキスパートシステムを用いて類似性判別を行い、著作権やその他権利を侵害せず公序良俗に反しないと認められるコンテンツを選別検査する機能を有するＰ２Ｐネットワークによるコンテンツ配信システム。
【請求項５】
請求項３又は４に記載されたＰ２Ｐネットワークによるコンテンツ配信システムであって、コンテンツＩＤと、コンテンツの持つ属性情報、顔認識情報、アクセス数、著作権情報、配信、再生、存在の可否を紐付けるディレクトリーデータベースを中枢ディレクトリーサーバーに保持し、ディレクトリーデータベースは、同一のファイルをアグリゲートして、登録する構造を持ち、さらに、個別にアップロードされた別のコンテンツＩＤを持つコンテンツを同一のファイルとして扱う構造を持ち、さらに、ディレクトリーデータベースはＰ２Ｐにより分散構成されるＰ２Ｐ分散ディレクトリーサーバーでも保持され、中枢ディレクトリーサーバーと同期し、また、Ｐ２Ｐ分散ディレクトリーサーバーは、Ｐ２Ｐ配信ネットワークの状態を把握する機能を有するＰ２Ｐネットワークによるコンテンツ配信システム。
【請求項６】
請求項５で記載されたＰ２Ｐネットワークによるコンテンツ配信システムで、複数の同一のコンテンツがアップロードされた場合、コンテンツのファイルサイズやＣＲＣの情報を前記ディレクトリーデータベースに保持された他のコンテンツのファイルサイズやＣＲＣと比較し、サイズ、ＣＲＣが一致した場合、既にアップロードされているコンテンツとビットごとの逐次的な比較を行うことにより、同一のファイルとしてアグリゲートする機能を有するＰ２Ｐネットワークによるコンテンツ配信システム。
【請求項７】
請求項５又は６に記載のＰ２Ｐネットワークによるコンテンツ配信システムであって、請求項５で記載されたＰ２Ｐ分散ディレクトリーサーバーを用いてユーザーの端末を主体として構成されるＰ２Ｐ配信システムにおいて、ブラウザのプラグインあるいは専用ソフトウエアが、Ｐ２Ｐ分散ディレクトリーサーバーを用いて、希望するコンテンツのダウンロード先を分散的に解決する機能を有するＰ２Ｐネットワークによるコンテンツ配信システム。
【請求項８】
請求項１乃至７のいずれか１項に記載されたＰ２Ｐネットワークによるコンテンツ配信システムであって、特定のユーザーから集中的にアップロードされる動画と音声に変化が乏しいコンテンツについては、アクセスの少ない大容量コンテンツから順番に、コンテンツの所有者に警告した上で、削除する機能を有するＰ２Ｐネットワークによるコンテンツ配信システム。
【請求項９】
請求項１乃至８のいずれか１項に記載されたＰ２Ｐネットワークによるコンテンツ配信システムであって、事後的に請求項４の選別検査又はクレームにより、著作権やその他権利を侵害するか公序良俗に反することが認められたコンテンツについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによるコンテンツ配信システム。
【請求項１０】
請求項１乃至９のいずれか１項に記載されたＰ２Ｐネットワークによるコンテンツ配信システムであって、アップロードされたコンテンツのファイル形式や中身を解析した結果、音声や動画以外のコンテンツあるいはＤＲＭ以外で暗号化されたコンテンツであると判明したものについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによるコンテンツ配信システム。
【請求項１１】
請求項１乃至１０のいずれか１項に記載されたＰ２Ｐネットワークによるコンテンツ配信システムであって、請求項１から請求項１０のまでの機能を、一部、あるいは全てを実装し、Ｐ２Ｐ配信システムの実現に必要な計算をＰ２ＰネットワークによりエンハンスされるＰ２Ｐ検閲ネットワークに分散処理させる中枢サーバーを有するＰ２Ｐネットワークによるコンテンツ配信システム。
【請求項１２】
請求項３乃至１０のいずれか１項に従属する請求項１１に記載されたＰ２Ｐネットワークによるコンテンツ配信システムであって、ユーザーからのコンテンツアップロードをＰ２Ｐネットワークが直接的には受け付けず、あるいは請求項１１の中枢サーバー経由でのコンテンツアップロードしか受け付けない事により、中枢サーバー経由で、Ｐ２Ｐネットワークに配信する機能を有するＰ２Ｐネットワークによるコンテンツ配信システム。
【請求項１３】
請求項５に従属する請求項１１に記載されたＰ２Ｐネットワークによるコンテンツ配信システムであって、請求項５記載のディレクトリーサーバーにおいて、Ｐ２Ｐネットワーク内でダウンロード先が発見されず、請求項１１記載の中枢サーバーにコンテンツが存在する場合は、中枢サーバーからプラグインあるいは専用ソフトウエアにコンテンツのストリーミング配信を行う機能を有するＰ２Ｐネットワークによるコンテンツ配信システム。
【請求項１４】
請求項４乃至１３のいずれか１項に記載されたＰ２Ｐネットワークによるコンテンツ配信システムであって、請求項４の選別検査において、コンテンツに追加された著作権情報を示すデジタル透かしにより、著作権侵害を判定する機能をさらに有するＰ２Ｐネットワークによるコンテンツ配信システム。
【請求項１５】
請求項４乃至１４のいずれか１項に記載されたＰ２Ｐネットワークによるコンテンツ配信システムであって、請求項４の選別検査において、ＡＩにより、デジタル透かしが含まれていないコンテンツが著作権侵害してないかを判定する機能をさらに有するＰ２Ｐネットワークによるコンテンツ配信システム。
【請求項１６】
請求項４乃至１５のいずれか１項に記載されたＰ２Ｐネットワークによるコンテンツ配信システムであって、請求項４の選別検査において、デジタル透かしが含まれていないコンテンツが著作権侵害してないかをパターンマッチングにより判定する機能をさらに有するＰ２Ｐネットワークによるコンテンツ配信システム。
【請求項１７】
請求項４乃至１６のいずれか１項に記載されたＰ２Ｐネットワークによるコンテンツ配信システムであって、請求項４の選別検査において、ＡＩにより、コンテンツが猥褻や暴力等問題のある内容を含まないかを判別する機能をさらに有するＰ２Ｐネットワークによるコンテンツ配信システム。
【請求項１８】
請求項４乃至１７のいずれか１項に記載されたＰ２Ｐネットワークによるコンテンツ配信システムであって、請求項４の選別検査において、ＡＩにより音声や動画以外のコンテンツに偽装されていないかを判定する機能をさらに有するＰ２Ｐネットワークによるコンテンツ配信システム。
【請求項１９】
請求項４乃至１８のいずれか１項に記載されたＰ２Ｐネットワークによるコンテンツ配信システムであって、請求項４の選別検査において、コンテンツについてのクレームを受け付け、Ｐ２Ｐ検閲ネットワークに接続し、Ｐ２Ｐ検閲ネットワークに顔認識情報、デジタル透かし、公序良俗に反するコンテンツの検閲を追加要請する検閲請求センターを有するＰ２Ｐネットワークによるコンテンツ配信システム。
【請求項２０】
請求項１９に記載されたＰ２Ｐネットワークによるコンテンツ配信システムであって、請求項４の選別検査において、前記検閲請求センターで、受け付けられたクレームに応じてＡＩによる検査を行い、検査結果に応じて特定コンテンツについて著作権やその他権利を侵害するか公序良俗に反することを認める機能を有するＰ２Ｐネットワークによるコンテンツ配信システム。
【請求項２１】
請求項１９又は２０に記載されたＰ２Ｐネットワークによるコンテンツ配信システムであって、請求項４の選別検査において、コンテンツ配信システムから信頼済みと判断されたユーザーのコンテンツについては、コンテンツ配信システム内での選別検査を行わず、前記検閲請求センターのＡＰＩの利用を許可することにより、メジャーコンテンツホルダーや、著作権やその他権利を侵害するか公序良俗に反するか否かの判断を信頼済みと判断されたユーザーに委託し、コンテンツ配信システム外で選別検査を行う機能を有するＰ２Ｐネットワークによるコンテンツ配信システム。
【請求項２２】
コンテンツのストリーミング配信を再生することは可能であるが、各コンテンツを個別のファイルとして、ユーザーの端末上に保存することを禁止する機能を有するＰ２Ｐネットワークに対応した、配信タグにもとづいてコンテンツにアクセスするためのブラウザへのプラグインあるいは専用ソフトウエアを用いたＰ２Ｐネットワークによるコンテンツ配信方法。
【請求項２３】
請求項２２に記載されたＰ２Ｐネットワークによるコンテンツ配信方法であって、ＤＲＭにより暗号化されたコンテンツを閲覧するために前記ストリーミング配信の再生前に、前記配信タグをＤＲＭサーバーに問い合わせ、ＤＲＭ認証を行う機能を有するプラグインあるいは専用ソフトウエアを用いたＰ２Ｐネットワークによるコンテンツ配信方法。
【請求項２４】
請求項２２又は２３に記載されたＰ２Ｐネットワークによるコンテンツ配信方法であって、プラグインあるいは専用ソフトウエアが、与えられた配信タグにもとづいてＰ２Ｐネットワークを探索し、当該配信タグに該当するコンテンツのキャッシュを有するピアを発見した場合は、発見されたピアからプラグインあるいは専用ソフトウエアにコンテンツのストリーミング配信を行う機能を有するＰ２Ｐネットワークによるコンテンツ配信方法。
【請求項２５】
請求項２４に記載されたＰ２Ｐネットワークによるコンテンツ配信方法であって、デジタル透かし、顔認識や音声認識によるパターンマッチング技術を用い、さらに、パターン認識結果の類似性をＡＩ技法によるエキスパートシステムを用いて類似性判別を行い、著作権やその他権利を侵害せず公序良俗に反しないと認められるコンテンツを選別検査する機能を有するＰ２Ｐネットワークによるコンテンツ配信方法。
【請求項２６】
請求項２４又は２５に記載されたＰ２Ｐネットワークによるコンテンツ配信方法であって、コンテンツＩＤと、コンテンツの持つ属性情報、顔認識情報、アクセス数、著作権情報、配信、再生、存在の可否を紐付けるディレクトリーデータベースを中枢ディレクトリーサーバーに保持し、ディレクトリーデータベースは、同一のファイルをアグリゲートして、登録する構造を持ち、さらに、個別にアップロードされた別のコンテンツＩＤを持つコンテンツを同一のファイルとして扱う構造を持ち、さらに、ディレクトリーデータベースはＰ２Ｐにより分散構成されるＰ２Ｐ分散ディレクトリーサーバーでも保持され、中枢ディレクトリーサーバーと同期し、また、Ｐ２Ｐ分散ディレクトリーサーバーは、Ｐ２Ｐ配信ネットワークの状態を把握する機能を有するＰ２Ｐネットワークによるコンテンツ配信方法。
【請求項２７】
請求項２６に記載されたＰ２Ｐネットワークによるコンテンツ配信方法であって、複数の同一のコンテンツがアップロードされた場合、コンテンツのファイルサイズやＣＲＣの情報を、前記ディレクトリーデータベースに保持された他のコンテンツのファイルサイズやＣＲＣと比較し、サイズ、ＣＲＣが一致した場合、既にアップロードされているコンテンツとビットごとの逐次的な比較を行うことにより、同一のファイルとしてアグリゲートする機能を有するＰ２Ｐネットワークによるコンテンツ配信方法。
【請求項２８】
請求項２６又は２７に記載のＰ２Ｐネットワークによるコンテンツ配信方法であって、請求項２６で記載されたＰ２Ｐ分散ディレクトリーサーバーを用いてユーザーの端末を主体として構成されるＰ２Ｐ配信方法により、ブラウザのプラグインあるいは専用ソフトウエアが、Ｐ２Ｐ分散ディレクトリーサーバーを用いて、希望するコンテンツのダウンロード先を分散的に解決する機能を有するＰ２Ｐネットワークによるコンテンツ配信方法。
【請求項２９】
請求項２２乃至２８のいずれか１項に記載されたＰ２Ｐネットワークによるコンテンツ配信方法であって、特定のユーザーから集中的にアップロードされる動画と音声に変化が乏しいコンテンツについては、アクセスの少ない大容量コンテンツから順番に、コンテンツの所有者に警告した上で、削除する機能を有するＰ２Ｐネットワークによるコンテンツ配信方法。
【請求項３０】
請求項２２乃至２９のいずれか１項に記載されたＰ２Ｐネットワークによるコンテンツ配信方法であって、事後的に請求項２５の選別検査又はクレームにより、著作権やその他権利を侵害するか公序良俗に反することが認められたコンテンツについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによるコンテンツ配信方法。
【請求項３１】
請求項２２乃至３０のいずれか１項に記載されたＰ２Ｐネットワークによるコンテンツ配信方法であって、アップロードされたコンテンツのファイル形式や中身を解析した結果、音声や動画以外のコンテンツあるいはＤＲＭ以外で暗号化されたコンテンツであると判明したものについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによるコンテンツ配信方法。
【請求項３２】
請求項２２乃至３１のいずれか１項に記載されたＰ２Ｐネットワークによるコンテンツ配信方法であって、請求項２２から請求項３１のまでの機能を、一部、あるいは全てを実装し、Ｐ２Ｐ配信システムの実現に必要な計算をＰ２ＰネットワークによりエンハンスされるＰ２Ｐ検閲ネットワークに分散処理させる中枢サーバーを有するＰ２Ｐネットワークによるコンテンツ配信方法。
【請求項３３】
請求項２４乃至３１のいずれか１項に従属する請求項３２に記載されたＰ２Ｐネットワークによるコンテンツ配信方法であって、ユーザーからのコンテンツアップロードをＰ２Ｐネットワークが直接的には受け付けず、あるいは請求項３２の中枢サーバー経由でのコンテンツアップロードしか受け付けない事により、中枢サーバー経由で、Ｐ２Ｐネットワークに配信する機能を有するＰ２Ｐネットワークによるコンテンツ配信方法。
【請求項３４】
請求項２６に従属する請求項３２に記載されたＰ２Ｐネットワークによるコンテンツ配信方法であって、請求項２６記載のディレクトリーサーバーにおいて、Ｐ２Ｐネットワーク内でダウンロード先が発見されず、請求項３２記載の中枢サーバーにコンテンツが存在する場合は、中枢サーバーからプラグインあるいは専用ソフトウエアにコンテンツのストリーミング配信を行う機能を有するＰ２Ｐネットワークによるコンテンツ配信方法。
【請求項３５】
請求項２５乃至３４のいずれか１項に記載されたＰ２Ｐネットワークによるコンテンツ配信方法であって、請求項２５の選別検査において、コンテンツに追加された著作権情報を示すデジタル透かしにより、著作権侵害を判定する機能をさらに有するＰ２Ｐネットワークによるコンテンツ配信方法。
【請求項３６】
請求項２５乃至３５のいずれか１項に記載されたＰ２Ｐネットワークによるコンテンツ配信方法であって、請求項２５の選別検査において、ＡＩにより、デジタル透かしが含まれていないコンテンツが著作権侵害してないかを判定する機能をさらに有するＰ２Ｐネットワークによるコンテンツ配信方法。
【請求項３７】
請求項２５乃至３６のいずれか１項に記載されたＰ２Ｐネットワークによるコンテンツ配信方法であって、請求項２５の選別検査において、デジタル透かしが含まれていないコンテンツが著作権侵害してないかをパターンマッチングにより判定する機能をさらに有するＰ２Ｐネットワークによるコンテンツ配信方法。
【請求項３８】
請求項２５から３７のいずれか１項に記載されたＰ２Ｐネットワークによるコンテンツ配信方法であって、請求項２５の選別検査において、ＡＩにより、コンテンツが猥褻や暴力等問題のある内容を含まないかを判別する機能をさらに有するＰ２Ｐネットワークによるコンテンツ配信方法。
【請求項３９】
請求項２５乃至３８のいずれか１項に記載されたＰ２Ｐネットワークによるコンテンツ配信方法であって、請求項２５の選別検査において、ＡＩにより音声や動画以外のコンテンツに偽装されていないかを判定する機能をさらに有するＰ２Ｐネットワークによるコンテンツ配信方法。
【請求項４０】
請求項２５乃至３９のいずれか１項に記載されたＰ２Ｐネットワークによるコンテンツ配信方法であって、請求項２５の選別検査において、コンテンツについてのクレームを受け付け、Ｐ２Ｐ検閲ネットワークに接続し、Ｐ２Ｐ検閲ネットワークに顔認識情報、デジタル透かし、公序良俗に反するコンテンツの検閲を追加要請する検閲請求センターを有するＰ２Ｐネットワークによるコンテンツ配信方法。
【請求項４１】
請求項４０に記載されたＰ２Ｐネットワークによるコンテンツ配信方法であって、請求項４１であって、請求項２５の選別検査において、前記検閲請求センターで、受け付けられたクレームに応じてＡＩによる検査を行い、検査結果に応じて特定コンテンツについて著作権やその他権利を侵害するか公序良俗に反することを認める機能を有するＰ２Ｐネットワークによるコンテンツ配信方法。
【請求項４２】
請求項４０又は４１に記載されたＰ２Ｐネットワークによるコンテンツ配信方法であって、請求項２５の選別検査において、コンテンツ配信システムから信頼済みと判断されたユーザーのコンテンツについては、コンテンツ配信システム内での選別検査を行わず、前記検閲請求センターのＡＰＩの利用を許可することにより、メジャーコンテンツホルダーや、著作権やその他権利を侵害するか公序良俗に反するか否かの判断を信頼済みと判断されたユーザーに委託し、コンテンツ配信システム外で選別検査を行う機能を有するＰ２Ｐネットワークによるコンテンツ配信方法。
【請求項４３】
請求項５及び請求項５に直接的又は間接的に従属する請求項６乃至２１のいずれか1項に記載されたＰ２Ｐネットワークによるコンテンツ配信システムであって、前記中枢ディレクトリーサーバー及び前記分散ディレクトリーサーバーは、ブラウザのプラグインあるいは専用ソフトウエアから、事後的に請求項４の選別検査又はクレームによって著作権やその他権利を侵害するか公序良俗に反することが認められたコンテンツのダウンロード先の解決要求がなされた場合に、当該解決要求に対する応答を停止するＰ２Ｐネットワークによるコンテンツ配信システム。
【請求項４４】
請求項２６及び請求項２６に直接的又は間接的に従属する請求項２７乃至４２のいずれか1項に記載されたＰ２Ｐネットワークによるコンテンツ配信方法であって、前記中枢ディレクトリーサーバー及び前記分散ディレクトリーサーバーは、ブラウザのプラグインあるいは専用ソフトウエアから、事後的に請求項４の選別検査又はクレームによって著作権やその他権利を侵害するか公序良俗に反することが認められたコンテンツのダウンロード先の解決要求がなされた場合に、当該解決要求に対する応答を停止するＰ２Ｐネットワークによるコンテンツ配信方法。
【発明の詳細な説明】
【技術分野】
【０００１】
この発明は、膨大な数のコンテンツを分散処理により検査する装置と方法とコンテンツの検査結果により利用者間の自律的なコンテンツ流通とコンテンツ利用を制御するコンテンツ配信システムに関する。
【背景技術】
【０００２】
従来のコンテンツ配信システムは、膨大なコンテンツを検査せずに流通させ、検査しても流通を制御することは出来ないか、あるいは膨大なコンテンツを検査したのち、利用者の端末に自律的にコンテンツを流通させることを禁止するものである。
【発明の開示】
【発明が解決しようとする課題】
【０００３】
しかしながら、以上の技術によれば、コンテンツ配信システムにおいて、著作権やその他の権利を侵害するか公序良俗に反するような問題のあるコンテンツが検査されないまま流通し、しかも、その流通が制御できず、流通したコンテンツを利用者が自由に利用できてしまう問題があった。また、問題のないコンテンツのみを検査後に流通させるには、利用者の端末に自律的にコンテンツを流通させることを禁じ、少数の装置からコンテンツを配信せざるを得ず、コンテンツ配信システムが可用性に劣るという問題があった。
【０００４】
そこで、この発明は、ユーザーからのコンテンツアップロードを集中的に受け付けた後、分散処理により膨大な数のコンテンツを検査し、その検査結果により利用者間での自律的なコンテンツ流通を制御し、かつ利用者のコンテンツ利用も停止可能なコンテンツ配信システムを提供することを課題とする。
【課題を解決するための手段】
【０００５】
本発明はユーザーからのコンテンツアップロードを集中的に受け付け、コンテンツ流通を制御するための情報管理とコンテンツ流通の制御を行う中枢サーバーを有することを特徴とするＰ２Ｐネットワークによるコンテンツ配信システムである。
【０００６】
また、グリッドコンピューティングによりコンテンツの検査の分散処理を行うことを特徴とするコンテンツ配信システムである。
【０００７】
また、コンテンツの検査結果により利用者間の自律的なコンテンツ流通を制御することを特徴とするコンテンツ配信システムである。
【０００８】
また、利用者のコンテンツ利用を停止させるには、従来のＤＲＭ技術を用いる。
【０００９】
請求項１に記載の本発明は、コンテンツのストリーミング配信を再生することは可能であるが、各コンテンツを個別のファイルとして、ユーザーの端末上に保存することを禁止する機能を有するＰ２Ｐネットワークに対応した、配信タグにもとづいてコンテンツにアクセスするためのブラウザへのプラグインあるいは専用ソフトウエアを用いることを特徴とする。ここでいう配信タグとは、コンテンツＩＤを含むコンテンツへのリンクＵＲＬ（例：Ｐ２Ｐ：／／〜）である。
【００１０】
請求項２に記載の本発明は、請求項１に記載されたＰ２Ｐネットワークによるコンテンツ配信システムであって、ＤＲＭにより暗号化されたコンテンツを閲覧するために前記ストリーミング配信の再生前に、前記配信タグをＤＲＭサーバーに問い合わせ、ＤＲＭ認証を行う機能を有するプラグインあるいは専用ソフトウエアを用いたＰ２Ｐネットワークによってコンテンツを配信することを特徴とする。
【００１１】
請求項３に記載の本発明は、請求項１又は２に記載されたＰ２Ｐネットワークによるコンテンツ配信システムであって、プラグインあるいは専用ソフトウエアが、与えられた配信タグにもとづいてＰ２Ｐネットワークを探索し、当該配信タグに該当するコンテンツのキャッシュを有するピアを発見した場合は、発見されたピアからプラグインあるいは専用ソフトウエアにコンテンツのストリーミング配信を行う機能を有するＰ２Ｐネットワークによってコンテンツを配信することを特徴とする。
【００１２】
請求項４に記載の本発明は、請求項３で記載されたＰ２Ｐネットワークによるコンテンツ配信システムであって、デジタル透かし、顔認識や音声認識によるパターンマッチング技術を用い、さらに、パターン認識結果の類似性をＡＩ技法によるエキスパートシステムを用いて類似性判別を行い、著作権やその他権利を侵害せず公序良俗に反しないと認められるコンテンツを選別検査する機能を有するＰ２Ｐネットワークによってコンテンツを配信することを特徴とする。
【００１３】
請求項５に記載の本発明は、請求項３又は４に記載されたＰ２Ｐネットワークによるコンテンツ配信システムであって、コンテンツＩＤと、コンテンツの持つ属性情報、顔認識情報、アクセス数、著作権情報、配信、再生、存在の可否を紐付けるディレクトリーデータベースを中枢ディレクトリーサーバーに保持し、ディレクトリーデータベースは、同一のファイルをアグリゲートして、登録する構造を持ち、さらに、個別にアップロードされた別のコンテンツＩＤを持つコンテンツを同一のファイルとして扱う構造を持ち、さらに、ディレクトリーデータベースはＰ２Ｐにより分散構成されるＰ２Ｐ分散ディレクトリーサーバーでも保持され、中枢ディレクトリーサーバーと同期し、また、Ｐ２Ｐ分散ディレクトリーサーバーは、Ｐ２Ｐ配信ネットワークの状態を把握する機能を有するＰ２Ｐネットワークによってコンテンツを配信することを特徴とする。ここでいうコンテンツの持つ属性情報とは、コンテンツのファイルサイズやＣＲＣ、フォーマット、再生時間、顔情報、色情報、音声情報、時系列の並び、ユーザーがアップロードするときに与えるユーザータグなどである。このようにＰ２Ｐ配信ネットワークの状態や、コンテンツの情報のディレクトリーを、Ｐ２Ｐネットワークに分散して配置することにより、複数のピアによる効率的なディレクトリー情報へのアクセスを可能になる。
【００１４】
請求項６に記載の本発明は、請求項５で記載されたＰ２Ｐネットワークによるコンテンツ配信システムで、複数の同一のコンテンツがアップロードされた場合、コンテンツのファイルサイズやＣＲＣの情報を、前記ディレクトリーデータベースに保持された他のコンテンツのファイルサイズやＣＲＣと比較し、サイズ、ＣＲＣが一致した場合、既にアップロードされているコンテンツとビットごとの逐次的な比較を行うことにより、同一のファイルとしてアグリゲートする機能を有するＰ２Ｐネットワークによってコンテンツを配信することを特徴とする。これにより、同一のコンテンツの複数のアップロードによりＰ２Ｐネットワーク全体が同一のコンテンツでいっぱいになってしまうことを防ぐことが出来る。
【００１５】
請求項７に記載の本発明は、請求項５又は６に記載のＰ２Ｐネットワークによるコンテンツ配信システムであって、請求項５で記載されたＰ２Ｐ分散ディレクトリーサーバーを用いてユーザーの端末を主体として構成されるＰ２Ｐネットワークによるコンテンツ配信システムにおいて、ブラウザのプラグインあるいは専用ソフトウエアが、Ｐ２Ｐ分散ディレクトリーサーバーを用いて、希望するコンテンツのダウンロード先を分散的に解決する（ＤＮＳのように複数のＰ２Ｐ分散ディレクトリーサーバーに対してコンテンツＩＤを問い合わせることにより、複数のダウンロード先を得る）機能を有するＰ２Ｐネットワークによってコンテンツを配信することを特徴とする。
【００１６】
請求項８に記載の本発明は、請求項１から７のいずれか１項に記載されたＰ２Ｐネットワークによるコンテンツ配信システムであって、特定のユーザーから集中的にアップロードされる動画と音声に魅力がなく、変化が乏しいコンテンツについては、アクセスの少ない大容量コンテンツから順番に、コンテンツの所有者に警告した上で、削除する機能を有するＰ２Ｐネットワークによってコンテンツを配信することを特徴とする。
【００１７】
請求項９に記載の本発明は、請求項１から８のいずれか１項に記載されたＰ２Ｐネットワークによるコンテンツ配信システムであって、事後的に請求項４の選別検査又はクレームにより、著作権やその他権利を侵害するか公序良俗に反することが認められたコンテンツについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによってコンテンツを配信することを特徴とする。
【００１８】
請求項１０に記載の本発明は、請求項１から９のいずれか１項に記載されたＰ２Ｐネットワークによるコンテンツ配信システムであって、アップロードされたコンテンツのファイル形式や中身を解析した結果、音声や動画以外のコンテンツあるいはＤＲＭ以外で暗号化されたコンテンツであると判明したものについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによってコンテンツを配信することを特徴とする。
【００１９】
請求項１１に記載の本発明は、請求項１から１０のいずれか１項に記載されたＰ２Ｐネットワークによるコンテンツ配信システムであって、請求項１から請求項１０のまでの機能を、一部、あるいは全てを実装し、Ｐ２Ｐ配信システムの実現に必要な計算をＰ２ＰネットワークによりエンハンスされるＰ２Ｐ検閲ネットワークに分散処理させる中枢サーバーを有するＰ２Ｐネットワークによってコンテンツを配信することを特徴とする。
【００２０】
請求項１２に記載の本発明は、請求項３乃至１０のいずれか１項に従属する請求項１１記載のＰ２Ｐネットワークによるコンテンツ配信システムであって、ユーザーからのコンテンツアップロードをＰ２Ｐネットワークが直接的には受け付けず、あるいは請求項１１の中枢サーバー経由でのコンテンツアップロードしか受け付けない事により、中枢サーバー経由で、Ｐ２Ｐネットワークに配信する機能を有するＰ２Ｐネットワークによってコンテンツを配信することを特徴とする。これにより、著作権やその他権利を侵害したり、公序良俗に反したりするコンテンツを検出して排除することが出来る。
【００２１】
請求項１３に記載の本発明は、請求項５に従属する請求項１１記載のＰ２Ｐネットワークによるコンテンツ配信システムであって、請求項５記載のディレクトリーサーバーにおいて、Ｐ２Ｐネットワーク内でダウンロード先が発見されず、請求項１１記載の中枢サーバーにコンテンツが存在する場合は、中枢サーバーからプラグインあるいは専用ソフトウエアにコンテンツのストリーミング配信を行う機能を有するＰ２Ｐネットワークによってコンテンツを配信することを特徴とする。
【００２２】
請求項１４に記載の本発明は、請求項４乃至１３のいずれか１項に記載されたＰ２Ｐネットワークによるコンテンツ配信システムであって、請求項４の選別検査において、コンテンツに追加された著作権情報を示すデジタル透かしにより、著作権侵害を判定する機能をさらに有するＰ２Ｐネットワークによってコンテンツを配信することを特徴とする。
【００２３】
請求項１５に記載の本発明は、請求項４乃至１４のいずれか１項に記載されたＰ２Ｐネットワークによるコンテンツ配信システムであって、請求項４の選別検査において、ＡＩにより、デジタル透かしが含まれていないコンテンツが著作権侵害してないかを判定する機能をさらに有するＰ２Ｐネットワークによってコンテンツを配信することを特徴とする。
【００２４】
請求項１６に記載の本発明は、請求項４乃至１５のいずれか１項に記載されたＰ２Ｐネットワークによるコンテンツ配信システムであって、請求項４の選別検査において、デジタル透かしが含まれていないコンテンツが著作権侵害してないかをパターンマッチングにより判定する機能をさらに有するＰ２Ｐネットワークによってコンテンツを配信することを特徴とする。
【００２５】
請求項１７に記載の本発明は、請求項４乃至１７のいずれか１項に記載されたＰ２Ｐネットワークによるコンテンツ配信システムであって、請求項４の選別検査において、ＡＩにより、コンテンツが猥褻や暴力等問題のある内容を含まないかを判別する機能をさらに有するＰ２Ｐネットワークによってコンテンツを配信することを特徴とする。
【００２６】
請求項１８に記載の本発明は、請求項４乃至１７のいずれか１項に記載されたＰ２Ｐネットワークによるコンテンツ配信システムであって、請求項４の選別検査において、ＡＩにより音声や動画以外のコンテンツに偽装されていないか（例えば、ＭＰＥＧ２ファイルの中にＩＰパケットが含まれていないか）を判定する機能をさらに有するＰ２Ｐネットワークによってコンテンツを配信することを特徴とする。
【００２７】
請求項１９に記載の本発明は、請求項４乃至１８のいずれか１項に記載されたＰ２Ｐネットワークによるコンテンツ配信システムであって、請求項４の選別検査において、コンテンツについてのクレームを受け付け、Ｐ２Ｐ検閲ネットワークに接続し、Ｐ２Ｐ検閲ネットワークに顔認識情報、デジタル透かし、公序良俗に反するコンテンツの検閲を追加要請する検閲請求センターを有するＰ２Ｐネットワークによってコンテンツを配信することを特徴とする。
【００２８】
請求項２０に記載の本発明は、請求項１９に記載されたＰ２Ｐネットワークによるコンテンツ配信システムであって、請求項４の選別検査において、前記検閲請求センターで、受け付けられたクレームに応じてＡＩによる検査を行い、検査結果に応じて特定コンテンツについて著作権やその他権利を侵害するか公序良俗に反することを認める機能を有するＰ２Ｐネットワークによってコンテンツを配信することを特徴とする。
【００２９】
請求項２１に記載の本発明は、請求項１９又は２０に記載されたＰ２Ｐネットワークによるコンテンツ配信システムであって、請求項４の選別検査において、コンテンツ配信システムから信頼済みと判断されたユーザーのコンテンツについては、コンテンツ配信システム内での選別検査を行わず、前記検閲請求センターのＡＰＩの利用を許可することにより、メジャーコンテンツホルダーや、著作権やその他権利を侵害するか公序良俗に反するか否かの判断を信頼済みと判断されたユーザーに委託し、コンテンツ配信システム外で選別検査を行う機能を有するＰ２Ｐネットワークによってコンテンツを配信することを特徴とする。
【００３０】
請求項２２に記載の本発明は、コンテンツのストリーミング配信を再生することは可能であるが、各コンテンツを個別のファイルとして、ユーザーの端末上に保存することを禁止する機能を有するＰ２Ｐネットワークに対応した、配信タグにもとづいてコンテンツにアクセスするためのブラウザへのプラグインあるいは専用ソフトウエアを用いたコンテンツ配信方法を特徴とする。ここでいう配信タグとは、コンテンツＩＤを含むコンテンツへのリンクＵＲＬ（Ｐ２Ｐ：／／）である。
【００３１】
請求項２３に記載の本発明は、請求項２２に記載されたＰ２Ｐネットワークによるコンテンツ配信方法であって、ＤＲＭにより暗号化されたコンテンツを閲覧するために前記ストリーミング配信の再生前に、前記配信タグをＤＲＭサーバーに問い合わせ、ＤＲＭ認証を行う機能を有するプラグインあるいは専用ソフトウエアを用いたＰ２Ｐネットワークによるコンテンツ配信方法を特徴とする。
【００３２】
請求項２４に記載の本発明は、請求項２２又は２３に記載されたＰ２Ｐネットワークによるコンテンツ配信方法であって、プラグインあるいは専用ソフトウエアが、与えられた配信タグにもとづいてＰ２Ｐネットワークを探索し、当該配信タグに該当するコンテンツのキャッシュを有するピアを発見した場合は、発見されたピアからプラグインあるいは専用ソフトウエアにコンテンツのストリーミング配信を行う機能を有するＰ２Ｐネットワークによるコンテンツ配信方法を特徴とする。
【００３３】
請求項２５に記載の本発明は、請求項２４に記載されたＰ２Ｐネットワークによるコンテンツ配信方法であって、デジタル透かし、顔認識や音声認識によるパターンマッチング技術を用い、さらに、パターン認識結果の類似性をＡＩ技法によるエキスパートシステムを用いて類似性判別を行い、著作権やその他権利を侵害せず公序良俗に反しないと認められるコンテンツを選別検査する機能を有するＰ２Ｐネットワークによるコンテンツ配信方法を特徴とする。
【００３４】
請求項２６に記載の本発明は、請求項２４又は２５に記載されたＰ２Ｐネットワークによるコンテンツ配信方法であって、コンテンツＩＤと、コンテンツの持つ属性情報、顔認識情報、アクセス数、著作権情報、配信、再生、存在の可否を紐付けるディレクトリーデータベースを中枢ディレクトリーサーバーに保持し、ディレクトリーデータベースは、同一のファイルをアグリゲートして、登録する構造を持ち、さらに、個別にアップロードされた別のコンテンツＩＤを持つコンテンツを同一のファイルとして扱う構造を持ち、さらに、ディレクトリーデータベースはＰ２Ｐにより分散構成されるＰ２Ｐ分散ディレクトリーサーバーでも保持され、中枢ディレクトリーサーバーと同期し、また、Ｐ２Ｐ分散ディレクトリーサーバーは、Ｐ２Ｐ配信ネットワークの状態を把握する機能を有するＰ２Ｐネットワークによるコンテンツ配信方法を特徴とする。ここでいうコンテンツの持つ属性情報とは、コンテンツのファイルサイズやＣＲＣ、フォーマット、再生時間、顔情報、色情報、音声情報、時系列の並び、ユーザーがアップロードするときに与えるユーザータグなどである。このようにＰ２Ｐ配信ネットワークの状態や、コンテンツの情報のディレクトリーを、Ｐ２Ｐネットワークに分散して配置することにより、複数のピアによる効率的なディレクトリー情報へのアクセスを可能になる。
【００３５】
請求項２７に記載の本発明は、請求項２６に記載されたＰ２Ｐネットワークによるコンテンツ配信方法であって、複数の同一のコンテンツがアップロードされた場合、コンテンツのファイルサイズやＣＲＣの情報を、前記ディレクトリーデータベースに保持された他のコンテンツのファイルサイズやＣＲＣと比較し、サイズ、ＣＲＣが一致した場合、既にアップロードされているコンテンツとビットごとの逐次的な比較を行うことにより、同一のファイルとしてアグリゲートする機能を有するＰ２Ｐネットワークによるコンテンツ配信方法を特徴とする。これにより、同一のコンテンツの複数のアップロードによりＰ２Ｐネットワーク全体が同一のコンテンツでいっぱいになってしまうことを防ぐことが出来る。
【００３６】
請求項２８に記載の本発明は、請求項２６又は２７に記載のＰ２Ｐネットワークによるコンテンツ配信方法であって、請求項２６で記載されたＰ２Ｐ分散ディレクトリーサーバーを用いてユーザーの端末を主体として構成されるＰ２Ｐ配信方法により、ブラウザのプラグインあるいは専用ソフトウエアが、Ｐ２Ｐ分散ディレクトリーサーバーを用いて、希望するコンテンツのダウンロード先を分散的に解決する（ＤＮＳのように複数のＰ２Ｐ分散ディレクトリーサーバーに対してコンテンツＩＤを問い合わせることにより、複数のダウンロード先を得る）機能を有するＰ２Ｐネットワークによるコンテンツ配信方法を特徴とする。
【００３７】
請求項２９に記載の本発明は、請求項２２乃至２８のいずれか１項に記載されたＰ２Ｐネットワークによるコンテンツ配信方法であって、特定のユーザーから集中的にアップロードされる動画と音声に魅力がなく、変化が乏しいコンテンツについては、アクセスの少ない大容量コンテンツから順番に、コンテンツの所有者に警告した上で、削除する機能を有するＰ２Ｐネットワークによるコンテンツ配信方法を特徴とする。
【００３８】
請求項３０に記載の本発明は、請求項２２乃至２９のいずれか１項に記載されたＰ２Ｐネットワークによるコンテンツ配信方法であって、事後的に請求項２５の選別検査又はクレームにより、著作権やその他権利を侵害するか公序良俗に反することが認められたコンテンツについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによるコンテンツ配信方法を特徴とする。
【００３９】
請求項３１に記載の本発明は、請求項２２乃至３０のいずれか１項に記載されたＰ２Ｐネットワークによるコンテンツ配信方法であって、アップロードされたコンテンツのファイル形式や中身を解析した結果、音声や動画以外のコンテンツあるいはＤＲＭ以外で暗号化されたコンテンツであると判明したものについては、Ｐ２Ｐネットワークにおいて流通させず、ストリーミング配信を停止させ、プラグインあるいは専用ソフトウエアにおける復号もＤＲＭにより停止させる機能を有するＰ２Ｐネットワークによるコンテンツ配信方法を特徴とする。
【００４０】
請求項３２に記載の本発明は、請求項２２乃至３１のいずれか１項に記載されたＰ２Ｐネットワークによるコンテンツ配信方法であって、請求項２２から請求項３１のまでの機能を、一部、あるいは全てを実装し、Ｐ２Ｐ配信システムの実現に必要な計算をＰ２ＰネットワークによりエンハンスされるＰ２Ｐ検閲ネットワークに分散処理させる中枢サーバーを有するＰ２Ｐネットワークによるコンテンツ配信方法を特徴とする。
【００４１】
請求項３３に記載の本発明は、請求項２４乃至３１のいずれか１項に従属する請求項３２記載のＰ２Ｐネットワークによるコンテンツ配信方法であって、ユーザーからのコンテンツアップロードをＰ２Ｐネットワークが直接的には受け付けず、あるいは請求項３２の中枢サーバー経由でのコンテンツアップロードしか受け付けない事により、中枢サーバー経由で、Ｐ２Ｐネットワークに配信する機能を有するＰ２Ｐネットワークによるコンテンツ配信方法を特徴とする。これにより、著作権やその他権利を侵害したり、公序良俗に反したりするコンテンツを検出して排除することが出来る。
【００４２】
請求項３４に記載の本発明は、請求項２６に従属する請求項３２記載のＰ２Ｐネットワークによるコンテンツ配信方法であって、請求項２６記載のディレクトリーサーバーにおいて、Ｐ２Ｐネットワーク内でダウンロード先が発見されず、請求項３２記載の中枢サーバーにコンテンツが存在する場合は、中枢サーバーからプラグインあるいは専用ソフトウエアにコンテンツのストリーミング配信を行う機能を有するＰ２Ｐネットワークによるコンテンツ配信方法を特徴とする。
【００４３】
請求項３５に記載の本発明は、請求項２５乃至３４のいずれか１項に記載されたＰ２Ｐネットワークによるコンテンツ配信方法であって、請求項２５の選別検査において、コンテンツに追加された著作権情報を示すデジタル透かしにより、著作権侵害を判定する機能をさらに有するＰ２Ｐネットワークによるコンテンツ配信方法を特徴とする。
【００４４】
請求項３６に記載の本発明は、請求項２５乃至３５のいずれか１項に記載されたＰ２Ｐネットワークによるコンテンツ配信方法であって、請求項２５の選別検査において、ＡＩにより、デジタル透かしが含まれていないコンテンツが著作権侵害してないかを判定する機能をさらに有するＰ２Ｐネットワークによるコンテンツ配信方法を特徴とする。
【００４５】
請求項３７に記載の本発明は、請求項２５乃至３６のいずれか１項に記載されたＰ２Ｐネットワークによるコンテンツ配信方法であって、請求項２５の選別検査において、デジタル透かしが含まれていないコンテンツが著作権侵害してないかをパターンマッチングにより判定する機能をさらに有するＰ２Ｐネットワークによるコンテンツ配信方法を特徴とする。
【００４６】
請求項３８に記載の本発明は、請求項２５から３７のいずれか１項に記載されたＰ２Ｐネットワークによるコンテンツ配信方法であって、請求項２５の選別検査において、ＡＩにより、コンテンツが猥褻や暴力等問題のある内容を含まないかを判別する機能をさらに有するＰ２Ｐネットワークによるコンテンツ配信方法を特徴とする。
【００４７】
請求項３９に記載の本発明は、請求項２５乃至３８のいずれか１項に記載されたＰ２Ｐネットワークによるコンテンツ配信方法であって、請求項２５の選別検査において、ＡＩにより音声や動画以外のコンテンツに偽装されていないか（例えば、ＭＰＥＧ２ファイルの中にＩＰパケットが含まれていないか）を判定する機能をさらに有するＰ２Ｐネットワークによるコンテンツ配信方法を特徴とする。
【００４８】
請求項４０に記載の本発明は、請求項２５乃至３９のいずれか１項に記載されたＰ２Ｐネットワークによるコンテンツ配信方法であって、請求項２５の選別検査において、コンテンツについてのクレームを受け付け、Ｐ２Ｐ検閲ネットワークに接続し、Ｐ２Ｐ検閲ネットワークに顔認識情報、デジタル透かし、公序良俗に反するコンテンツの検閲を追加要請する検閲請求センターを有するＰ２Ｐネットワークによるコンテンツ配信方法を特徴とする。
【００４９】
請求項４１に記載の本発明は、請求項４０に記載されたＰ２Ｐネットワークによるコンテンツ配信方法であって、請求項２５の選別検査において、前記検閲請求センターで、受け付けられたクレームに応じてＡＩによる検査を行い、検査結果に応じて特定コンテンツについて著作権やその他権利を侵害するか公序良俗に反することを認める機能を有するＰ２Ｐネットワークによるコンテンツ配信方法を特徴とする。
【００５０】
請求項４２に記載の本発明は、請求項４０又は４１に記載されたＰ２Ｐネットワークによるコンテンツ配信方法であって、請求項２５の選別検査において、コンテンツ配信システムから信頼済みと判断されたユーザーのコンテンツについては、コンテンツ配信システム内での選別検査を行わず、前記検閲請求センターのＡＰＩの利用を許可することにより、メジャーコンテンツホルダーや、著作権やその他権利を侵害するか公序良俗に反するか否かの判断を信頼済みと判断されたユーザーに委託し、コンテンツ配信システム外で選別検査を行う機能を有するＰ２Ｐネットワークによるコンテンツ配信方法を特徴とする。
【発明の効果】
【００５１】
以上の課題を解決するための手段によれば、膨大なコンテンツの検査が行え、利用者間でのコンテンツ流通を制御できる。
【発明を実施するための最良の形態】
【００５２】
この発明の一実施形態を、図１、図２に示す。
コンテンツ配信システムの部分１は、ユーザーからのコンテンツアップロードを受け付ける中枢サーバーであり、コンテンツ流通を制御するために必要なユーザーＩＤやパスワード等のユーザー情報やコンテンツＩＤや著作権情報等コンテンツ情報を管理する。また、部分２は、コンテンツ検査を行うグリッドネットワークであり、ＡＩやパターンマッチング技術を用いてコンテンツが著作権やその他権利を侵害しないか、公序良俗に反しないか等問題のあるコンテンツをグリッドコンピューティングによって検査する。部分３は、コンテンツ検査の結果、問題がないとされたコンテンツのみを利用者の端末が自律的に流通させるＰ２Ｐネットワークである。そして部分４は、Ｐ２Ｐネットワーク上で流通するコンテンツをストリーミング配信の形態でのみ閲覧することが可能なブラウザへのプラグイン、あるいは専用ソフトウエアである。部分５は、グリッドネットワークによるコンテンツの検査結果を登録し、後から同一のコンテンツ検査については中枢ディレクトリーサーバーあるいはＰ２Ｐ分散ディレクトリーサーバーを見るだけで検査結果が分かるようにするディレクトリーデータベースである。部分６はブラウザにおいてコンテンツの復号を禁止することにより、閲覧を出来なくすることが可能なＤＲＭサーバーである。
【００５３】
部分１の中枢サーバーは、各コンテンツについての検査を部分２のグリッドネットワークに分散処理させ、コンテンツが著作権やその他権利を侵害しないか、公序良俗に反しないかコンテンツを検査した結果を得る。ただし、既に行われたコンテンツの検査については、ディレクトリーを参照して結果を得る。そして、コンテンツを検査した結果、問題ないとされたコンテンツのみを、部分１の中枢サーバーが部分３のＰ２Ｐネットワークに流通させ、中枢サーバーあるいはグリッドネットワークでＰ２Ｐネットワークのコンテンツ流通を制御する。たとえば、流通後に著作権侵害が発覚したコンテンツについては、中枢サーバーが、その流通を停止させる。さらに、ＤＲＭサーバーによりブラウザにおけるコンテンツの復号を禁止する。
【００５４】
部分３のＰ２Ｐ配信ネットワークにいったん流通させた後に著作権侵害や公序良俗違反が発覚した違反コンテンツをＰ２Ｐ配信ネットワークから削除する場合、以下のように行えばよい。まず、中枢サーバーは、上述したように違反コンテンツの流通を停止させるために、違反コンテンツの復号を許可しないように部分６のＤＲＭサーバーに対して指令を出す。具体的には、ＤＲＭサーバーに、違反コンテンツを視聴するための復号鍵の送信を禁止させればよい。これにより、Ｐ２Ｐ配信ネットワーク内のノードに既に違反コンテンツがキャッシュされている場合であっても、違反コンテンツの新たな再生を速やかに停止できる。これと並行して、中枢サーバーは、部分５の中枢ディレクトリーサーバー及びＰ２Ｐ分散ディレクトリーサーバーに対して、違反コンテンツに関するエントリを削除し、Ｐ２Ｐ配信ネットワーク内のノードから違反コンテンツのダウンロード先の解決要求があっても、当該解決要求に応じないように指令を出す。これにより、違反コンテンツがＰ２Ｐ配信ネットワーク内に拡散することを防止することができる。また、中枢サーバーは、配信タグによってアクセス可能な状態で自身が保存している違反コンテンツを削除する。ここで、配信タグとは、第９段落で述べたように、コンテンツＩＤを含むコンテンツへのリンクＵＲＬである。さらに、中枢サーバーは、違反コンテンツを既にキャッシュ済みであるＰ２Ｐ配信ネットワーク内のノードに対して、違反コンテンツを削除するように指令を出してもよい。
【００５５】
この実施形態によれば、部分２のグリッドコンピューティングの膨大な計算力を活かして膨大なコンテンツの検査が行える。そして、部分３のＰ２Ｐネットワークが部分２の検査を通ったコンテンツのみを流通させるために、著作権やその他権利を侵害するか公序良俗に反するような問題のあるコンテンツが流通しにくい。さらに、部分１あるいは部分２により部分３のコンテンツの流通を制御することにより、問題のあるコンテンツはさらに流通が困難なものとなる。そして、以上のような対策を講じても流通する問題のあるコンテンツについては、部分６のＤＲＭサーバーによりコンテンツの利用を停止させることが出来る。
【図面の簡単な説明】
【００５６】
【図１】この発明の一実施形態を示すネットワーク構成図である。
【図２】この発明の一実施形態を示すフローチャート図である。
【符号の説明】
【００５７】
１  中枢サーバー
２  Ｐ２Ｐ検閲ネットワーク
３  Ｐ２Ｐ配信ネットワーク
４  ブラウザへのプラグインあるいは専用ソフトウエア
５  ディレクトリー
６  ＤＲＭサーバー
【図１】
2008305371.tif 000003
【図２】
2008305371.tif 000004